(57)【特許請求の範囲】
【請求項１】
非接触情報記録媒体に記録された記録情報を読み書きするための電磁波を放射するループアンテナを備えた複数のリーダライタうち、１つを主リーダライタとし、他の少なくとも１つ以上のリーダライタを副リーダライタとしたリーダライタ装置であって、
前記副リーダライタのループアンテナから放射される電磁波と電磁結合する受電部、及び該受電部から伝達された電流により電磁波を発生するアンテナ部により構成される１つ又はそれ以上の拡張アンテナと、
前記主リーダライタ及び前記１つ以上の副リーダライタを制御する制御部と、を備え、
前記副リーダライタのループアンテナと電磁結合した前記拡張アンテナの前記アンテナ部を、前記主リーダライタの前記ループアンテナに対して一列に且つ重ねて配置したことを特徴とするリーダライタ装置。
【請求項２】
非接触情報記録媒体に記録された記録情報を読み書きするための電磁波を放射するループアンテナを備えた複数のリーダライタを備えたリーダライタ装置であって、
前記各リーダライタに対応して夫々配置された拡張アンテナと、前記各リーダライタを制御する制御部と、を備え、
前記各拡張アンテナは、前記各リーダライタのループアンテナから放射される電磁波と夫々電磁結合する受電部、及び該各受電部からの電流により夫々電磁波を発生するアンテナ部を備え、
前記各拡張アンテナのアンテナ部を前記各リーダライタのループアンテナに対して一列に且つ重ねて配置したことを特徴とするリーダライタ装置。
【請求項３】
前記制御部は、前記ループアンテナから放射する電磁波を時分割に出力することを特徴とする請求項１又は２に記載のリーダライタ装置。
【請求項４】
前記受電部及び前記アンテナ部は、インピーダンス整合器を介して通信ケーブルによりそれぞれ接続されることを特徴とする請求項１乃至３の何れか一項に記載のリーダライタ装置。
【請求項５】
請求項１乃至４の何れか一項に記載のリーダライタ装置と、
全体を制御する制御部と、を備え、
前記制御部は、第１の非接触情報記録媒体に記録された情報を読み取る第１のリーダライタおよび第２の非接触情報記録媒体に記録された情報を読み取る第２のリーダライタをそれぞれ起動させて、読み取ったカードに応じて、該第１の非接触情報記録媒体に記録された情報、または該第２の非接触情報記録媒体に記録された情報に基づいて処理を行うことを特徴とする駐車場料金精算機。
【請求項６】
駐車料金を精算するために駐車券を挿入する駐車券挿入口と、
駐車料金を表示する料金表示部と、
全体を制御する制御部と、を備え、
前記制御部は、前記駐車券挿入口に前記駐車券が挿入されると、駐車料金を算出して前記料金表示部に該駐車料金を表示し、その後、第１の非接触情報記録媒体に記録された情報を読み取る第１のリーダライタを起動させ、該第１の非接触情報記録媒体に記録された情報に基づいて処理を行うと共に、第２の非接触情報記録媒体に記録された情報を読み取る第２のリーダライタを起動させて該第２の非接触情報記録媒体に記録された情報に基づいて処理を行うことを特徴とする、請求項５に記載の駐車場料金精算機。
【発明の詳細な説明】
【技術分野】
【０００１】
本発明は、リーダライタ装置、及び駐車料金精算機に関し、さらに詳しくは、受電部とアンテナ部が通信ケーブルにより接続された拡張アンテナを利用して、複数のリーダライタのカードタッチ部の位置を統合したリーダライタ装置と、それを備えた駐車場料金精算機に関するものである。
【背景技術】
【０００２】
非接触ＩＣカード用のリーダライタは、使用するＩＣカードの目的や機能ごとに仕様が特化してしるのが一般的である。特に電子マネー決済においては、電子マネーの種類ごとに専用のリーダライタが用意されており、当該電子マネー決済以外のカードデータの読み取り機能は提供されていない場合が多い。このため、非接触ＩＣカード（以下、単にＩＣカードと呼ぶ）を利用して電子マネー決済以外の処理（例えば、認証処理等）を行うためには、別にリーダライタを用意する必要がある。
【０００３】
図６は従来のリーダライタ装置の機能を説明するための機能ブロック図である。従来のリーダライタ装置１００では、利用者は、ＩＣカードＡを使用するときは、ＩＣカードタッチ部（Ａ）６１にタッチし、ＩＣカードＢを使用するときは、ＩＣカードタッチ部（Ｂ）６６にそれぞれタッチする必要がある。即ち、カードごとにそれぞれ専用のループアンテナ７１、７４とリーダライタ制御部７２、７５が備えられており、間違った操作（例えば、ＩＣカードＡをＩＣカードタッチ部（Ｂ）６６にタッチ、又はＩＣカードＢをＩＣカードタッチ部（Ａ）６１にタッチすること）を行うと、正しくＩＣカードに記録されている情報が読み込まれない。従って、利用者は操作の度にＩＣカードの種類を確認して操作を行う必要がある。
【０００４】
図７は図６の従来のリーダライタ装置を備えた駐車場料金精算機の操作面を示す図である。従来の駐車場料金精算機１１０は、割引の特典を利用できる利用者であることを認証するためのＩＣカードＡをタッチするＩＣカードタッチ部（Ａ）６１と、操作を指示する画面を表示する案内表示部６２と、駐車料金を精算するために駐車券を挿入する駐車券挿入口６４と、駐車料金を表示する料金表示部６５と、駐車料金を電子マネーで決済するためのＩＣカードＢをタッチするＩＣカードタッチ部（Ｂ）６６と、現金で精算する場合に硬貨を投入する硬貨投入口６７と、現金で精算する場合に紙幣を投入する紙幣投入口６８と、を備えている。
【０００５】
図８は従来の駐車場料金精算機の操作手順及び動作を説明するためのフローチャートである。利用者は、駐車場から退出するために、駐車券挿入口６４に駐車券を挿入する（Ｓ２１）。駐車券には入場した時刻が記録されており、入場時刻から駐車券を挿入した時刻までの時間（駐車時間）を算出して、それに応じた駐車料金を計算して、その結果を料金表示部６５に表示する（Ｓ２２）。利用者が割引の特典を利用するために、リーダライタ７０（Ａ）を起動する（Ｓ２４）。利用者がＩＣカードタッチ部（Ａ）６１に、ＩＣカードＡをタッチして（Ｓ２５）、リーダライタ７０（Ａ）でカードを読取る（Ｓ２６）。制御部６９は、ＩＣカードＡに記録されている情報に基づいて駐車料金割引対象の利用者であることを確認すると、駐車料金を減額して（Ｓ２７）、リーダライタ７３（Ｂ）を起動する（Ｓ２８）。利用者が電子マネーにより決済を行う場合は、ＩＣカードタッチ部（Ｂ）６６にＩＣカードＢをタッチして（Ｓ２９）、リーダライタ７３（Ｂ）でカード情報を読み取り、精算額を減算して書き込むことにより（Ｓ３０）、駐車料金精算が完了する（Ｓ３１）。ここで、現金で精算する場合は、硬貨投入口６７、又は／及び、紙幣挿入口６８から現金を挿入して精算することもできる。
【０００６】
このように、異なる複数のＩＣカードを使用する駐車場料金精算機では、利用者はＩＣカードをどちらのＩＣカードタッチ部にタッチすべきかを判断しなければならず操作が煩わしい。また、その操作を案内するために精算機側に案内表示部が必要となる。更に、精算機の操作面に複数のリーダライタを実装するため、精算機内の部材配置に制約が生じるといった問題がある。
上記の問題を解決するために特許文献１には、画像読取部と制御部とを少なくとも備え、制御部は、画像読取部を制御することにより、ＩＣカードの画像データを読取り、読取られた画像データに基づいてＩＣカードの通信方式を切替えるＩＣカード読取装置について開示されている。
【先行技術文献】
【特許文献】
【０００７】
【特許文献１】特開２０１０−９７２５５公報
【発明の概要】
【発明が解決しようとする課題】
【０００８】
しかしながら、特許文献１に開示されている従来技術では、読取部は１箇所になるが、ＩＣカードの画像を読取るためにＩＣカードを読取部に載置しておかなければならず、読取完了までに時間がかかって混雑時に利用者が滞留してしまうといった問題がある。
本発明は、かかる課題に鑑みてなされたものであり、受電部とアンテナ部が通信ケーブルにより接続された拡張アンテナを用意し、受電部を一方のリーダライタのループアンテナと電磁結合させ、アンテナ部を他方のリーダライタのループアンテナと重ねて配置することにより、異なる通信方式のＩＣカードを１箇所のカードタッチ部で処理が可能となり、利便性を高めたＩＣカードを利用したリーダライタ装置、及びそれを備えた駐車場料金精算機を提供することを目的とする。
【課題を解決するための手段】
【０００９】
本発明はかかる課題を解決するために、請求項１は、非接触情報記録媒体に記録された記録情報を読み書きするための電磁波を放射するループアンテナを備えた複数のリーダライタうち、１つを主リーダライタとし、他の少なくとも１つ以上のリーダライタを副リーダライタとしたリーダライタ装置であって、前記副リーダライタのループアンテナから放射される電磁波と電磁結合する受電部、及び該受電部から伝達された電流により電磁波を発生するアンテナ部により構成される１つ又はそれ以上の拡張アンテナと、前記主リーダライタ及び前記１つ以上の副リーダライタを制御する制御部と、を備え、前記副リーダライタのループアンテナと電磁結合した前記拡張アンテナの前記アンテナ部を、前記主リーダライタの前記ループアンテナに対して一列に且つ重ねて配置したことを特徴とする。
本発明では、受電部とアンテナ部を通信ケーブルで接続した拡張アンテナを利用して、例えば、２つの通信方式が異なるリーダライタがあった場合、一方のリーダライタのループアンテナと受電部とを電磁結合させ、そのアンテナ部を他方のリーダライタのループアンテナと重ねて配置することにより、利用者は、１箇所で異なるＩＣカードを利用することができる。即ち、利用者から見た場合、１つのリーダライタのカードタッチ部（ループアンテナ）で２種類の異なるＩＣカードを操作可能となり、利便性と操作性を向上させることができる。
【００１０】
請求項２は、非接触情報記録媒体に記録された記録情報を読み書きするための電磁波を放射するループアンテナを備えた複数のリーダライタを備えたリーダライタ装置であって、前記各リーダライタに対応して夫々配置された拡張アンテナと、前記各リーダライタを制御する制御部と、を備え、前記各拡張アンテナは、前記各リーダライタのループアンテナから放射される電磁波と夫々電磁結合する受電部、及び該各受電部からの電流により夫々電磁波を発生するアンテナ部を備え、前記各拡張アンテナのアンテナ部を前記各リーダライタのループアンテナに対して一列に且つ重ねて配置したことを特徴とする。
例えばコンビニ等の比較的狭いカウンタに、ＩＣカードにより精算するための複数のリーダライタを設置すると、そのスペースだけでカウンタの面積を占有してしまい、カウンタを有効に使用することができなくなってしまう。そこで本発明では、複数のリーダライタをカウンタから離間した場所に設置し、そこから通信ケーブルを延伸し、各拡張アンテナのアンテナ部を重ねて配置してＩＣカードの読取部とする。これにより、リーダライタを利用者の見えない場所に隔離して盗難等を防止すると共に、読取部の占有面積を最小限にして有効利用面積を拡張することができる。
【００１１】
請求項３は、前記制御手段は、前記ループアンテナから放射する電磁波を時分割に出力することを特徴とする。
通信方式が異なる複数のリーダライタを同時に使用する場合、それぞれのループアンテナから電磁波を同時に放射すると、それぞれの電磁波が互いに影響しあって電磁波が減衰したり、データエラーを起こす可能性が大きくなる。そこで本発明では、各方式の電磁波を放射するタイミングを時分割にすることにより、ある時間帯では１種類の通信方式による電磁波のみが放射されるため、データエラー等の事態を低減することができる。
【００１２】
請求項４は、前記受電部及び前記アンテナ部は、インピーダンス整合器を介して通信ケーブルによりそれぞれ接続されることを特徴とする。
アンテナはコイルで構成されているため、効率よく信号を送受信するためにＬＣ共振回路を構成することが重要である。また、受電部から得られた磁界電流を効率よくアンテナ部に伝達するためには、通信ケーブルとのインピーダンスとマッチングさせることが重要である。そこで本発明では、通信ケーブルの両端にインピーダンス整合器を備えて、それぞれを受電部及びアンテナ部に接続する。これにより、各アンテナ間に効率よく信号を伝達することができる。
【００１３】
請求項５は、請求項１乃至４の何れか一項に記載のリーダライタ装置と、全体を制御する制御部と、を備え、前記制御部は、第１の非接触情報記録媒体に記録された情報を読み取る第１のリーダライタおよび第２の非接触情報記録媒体に記録された情報を読み取る第２のリーダライタをそれぞれ起動させて、読み取ったカードに応じて、該第１の非接触情報記録媒体に記録された情報、または該第２の非接触情報記録媒体に記録された情報に基づいて処理を行うことを特徴とする。
駐車料金精算機等では、駐車料金の割引を認証するためのＩＣカードを読取るリーダライタと、駐車料金を精算するための電子マネーとして使用するＩＣカードを読取るリーダライタの２種類が必要となる。本発明では、２種類のＩＣカードを読取る読取部が１箇所であるため、利用者は指示に従ってその読取部にＩＣカードをタッチすることにより、操作を迷うことなく行うことができる。
【００１４】
請求項６は、駐車料金を精算するために駐車券を挿入する駐車券挿入口と、駐車料金を表示する料金表示部と、全体を制御する制御部と、を備え、前記制御部は、前記駐車券挿入口に前記駐車券が挿入されると、駐車料金を算出して前記料金表示部に該駐車料金を表示し、その後、第１の非接触情報記録媒体に記録された情報を読み取る第１のリーダライタを起動させ、該第１の非接触情報記録媒体に記録された情報に基づいて処理を行うと共に、第２の非接触情報記録媒体に記録された情報を読み取る第２のリーダライタを起動させて該第２の非接触情報記録媒体に記録された情報に基づいて処理を行うことを特徴とする。
本発明の駐車場料金精算機は、駐車券を駐車券挿入口に挿入すると、第１のリーダライタを起動して、例えば、割引等の特典がある場合にその認証を行う。その後、第２のリーダライタを起動させて、割り引かれた料金を精算する処理を行う。このように、２種類のＩＣカードを読取る読取部が１箇所であるため、利用者は指示に従ってその読取部にＩＣカードをタッチすることにより、操作を迷うことなく行うことができる。
【発明の効果】
【００１５】
本発明によれば、通信方式が異なる２つのリーダライタがあった場合、一方のリーダライタのループアンテナと受電部とを電磁結合させ、そのアンテナ部を他方のリーダライタ（主リーダライタ）のループアンテナと重ねて配置することにより、利用者から見た場合、１つのリーダライタの読取部（ループアンテナ）で２種類の異なるＩＣカードを操作可能となり、利便性と操作性を向上させることができる。
また、複数のリーダライタをカウンタから離間した場所に設置し、そこから拡張ケーブルにより延伸し、各拡張アンテナのアンテナ部を重ねて配置してＩＣカードの読取部とするので、リーダライタを利用者の見えない場所に隔離して盗難等を防止すると共に、読取部の占有面積を最小限にして有効利用面積を拡張することができる。
また、各方式の電磁波を放射するタイミングを時分割にすることにより、ある時間帯では１種類の通信方式による電磁波のみが放射されるため、データエラー等の事態を低減することができる。
また、通信ケーブルの両端にインピーダンス整合器を備えて、それぞれを受電部及びアンテナ部に接続するので、各アンテナ間に効率よく信号を伝達することができる。
【図面の簡単な説明】
【００１６】
【図１】本発明の第１の実施形態に係るリーダライタ装置の機能を説明するための機能ブロック図である。
【図２】図１の本発明のリーダライタ装置を備えた駐車場料金精算機の操作面を示す図である。
【図３】本発明の駐車場料金精算機の操作手順及び動作を説明するためのフローチャートである。
【図４】本発明の第２の実施形態に係るリーダライタ装置の機能を説明するための機能ブロック図である。
【図５】本発明のリーダライタ装置の読書きタイミングを説明する図である。
【図６】従来のリーダライタ装置の機能を説明するための機能ブロック図である。
【図７】図６の従来のリーダライタ装置を備えた駐車場料金精算機の操作面を示す図である。
【図８】従来の駐車場料金精算機の操作手順及び動作を説明するためのフローチャートである。
【発明を実施するための形態】
【００１７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１８】
図１は本発明の第１の実施形態に係るリーダライタ装置の機能を説明するための機能ブロック図である。本発明のリーダライタ装置５０では、ＩＣカード（非接触情報記録媒体）に記録された記録情報を読み書きするための電磁波を放射するループアンテナを備えた２つのリーダライタうち、例えばリーダライタ（Ａ）１０を主リーダライタとし、リーダライタ（Ｂ）１３を副リーダライタとしたリーダライタ装置５０であって、リーダライタ（Ｂ）１３のループアンテナ１４から放射される電磁波と電磁結合する受電部９、及び受電部９から通信ケーブル１７を介して伝達された電流により電磁波を発生するアンテナ部８により構成される拡張アンテナ１８と、リーダライタ（Ａ）１０とリーダライタ（Ｂ）１３を制御する制御部１６と、を備え、リーダライタ（Ｂ）１３のループアンテナ１４と電磁結合した拡張アンテナ１８のアンテナ部８を、リーダライタ（Ａ）１０のループアンテナ１１上に配置し、ループアンテナ１１の位置をＩＣカードＡ、ＢのＩＣカードタッチ部（読み書き部）１とする。
【００１９】
利用者は、ＩＣカードＡ、又は／及び、ＩＣカードＢを使用するときは、ＩＣカードタッチ部１にタッチする。即ち、異なる通信方式、或いは異なる種類のカードを使用するときでも、１箇所のＩＣカードタッチ部１にタッチすることで、ＩＣカードＡ或いはＩＣカードＢの何れのＩＣカードからでも、情報を読み書きすることができる。例えば、ＩＣカードＡがＩＣカードタッチ部１にタッチされると、ループアンテナ１１から放射された電磁波をＩＣカードＡ内のアンテナで受信してリーダライタ制御部１２と交信が可能となる。また、ＩＣカードＢがＩＣカードタッチ部１にタッチされると、ループアンテナ１４から放射された電磁波を受電部９により受電して、通信ケーブル１７を介してアンテナ部８から放射してＩＣカードＢ内のアンテナで受信してリーダライタ制御部１５と交信が可能となる。尚、図２では、受電部９をループアンテナ１４と電磁結合するように説明しているが、これに限らず、受電部９をループアンテナ１１と電磁結合するように構成して、アンテナ部８をループアンテナ１４上に配置しても良い。
【００２０】
本実施形態では、受電部９とアンテナ部８を通信ケーブル１７で接続した拡張アンテナ１８を利用して、例えば、２つの通信方式が異なるリーダライタ１０、１３があった場合、一方のリーダライタ１３のループアンテナ１４と受電部９とを電磁結合させ、そのアンテナ部８を他方のリーダライタ１０のループアンテナ１１と重ねて配置することにより、利用者は、１箇所のＩＣカードタッチ部１で異なるＩＣカードを利用することができる。即ち、利用者から見た場合、１つのリーダライタ１０のループアンテナ１１で２種類の異なるＩＣカードＡ、Ｂを操作可能となり、利便性と操作性を向上させることができる。
【００２１】
図２は図１の本発明のリーダライタ装置を備えた駐車場料金精算機の操作面を示す図である。本発明の駐車場料金精算機６０は、割引の特典を利用できる利用者であることを認証するためのＩＣカードＡ、又は／及び、駐車料金を電子マネーで決済するためのＩＣカードＢをタッチするＩＣカードタッチ部１と、操作を指示する画面を表示する案内表示部２と、駐車料金を精算するために駐車券を挿入する駐車券挿入口６と、駐車料金を表示する料金表示部３と、現金で精算する場合に硬貨を投入する硬貨投入口４と、現金で精算する場合に紙幣を投入する紙幣投入口５と、を備えている。
【００２２】
図３は本発明の駐車場料金精算機の操作手順及び動作を説明するためのフローチャートである。利用者は、駐車場から退出するために、駐車券挿入口６に駐車券を挿入する（Ｓ１）。駐車券には入場した時刻が記録されており、入場時刻から駐車券を挿入した時刻までの時間（駐車時間）を算出して、それに応じた駐車料金を計算して、その結果を料金表示部３に表示する（Ｓ２）。ここで、利用者が割引の特典を利用するために、リーダライタ１０（Ａ）を起動する（Ｓ４）。利用者がＩＣカードタッチ部１に、ＩＣカードＡをタッチして（Ｓ５）、リーダライタ１０（Ａ）でカードを読取る（Ｓ６）。制御部１６は、ＩＣカードＡに記録されている情報に基づいて駐車料金割引対象の利用者であることを確認すると、駐車料金を減額して（Ｓ７）、リーダライタ１３（Ｂ）を起動する（Ｓ８）。利用者が電子マネーにより決済を行う場合は、ＩＣカードタッチ部１にＩＣカードＢをタッチして（Ｓ９）、リーダライタ１３（Ｂ）でカード情報を読み取り、精算額を減算して書き込むことにより（Ｓ１０）、駐車料金精算が完了する（Ｓ１１）。ここで、現金で精算する場合は、硬貨投入口４、又は／及び、紙幣挿入口５から現金を挿入して精算することもできる。
また、その他の応用として、駐車場料金精算機における、ＩＤによる入出場管理と、料金精算、ポイントカードと電子マネー決済、異なる種類（ＥｄｙとＳｕｉｃａ等：登録商標）の電子マネー決済手段、及び異なる仕様のＩＣカード（例えば、住民基本台帳カード（タイプＢ）と交通系ＩＣカード（ＦｅｌｉＣａ））が考えられる。
【００２３】
図４は本発明の第２の実施形態に係るリーダライタ装置の機能を説明するための機能ブロック図である。同じ構成要素には図１と同じ参照番号を付して説明する。複数のリーダライタ２３、２６、２９と、リーダライタ２３、２６、２９と同数の拡張アンテナ１８ａ、１８ｂ、１８ｃと、を備え、各リーダライタ２３、２６、２９のループアンテナ２１、２４、２７と拡張アンテナの受電部９ｃ、９ｂ、９ａとを１対１で電磁結合させ、各拡張アンテナのアンテナ部８ａ、８ｂ、８ｃを軸上で重なるように配置し、この配置位置をＩＣカードのＩＣカードタッチ部２０（読み書き位置）とする。
【００２４】
例えばコンビニ等の比較的狭いカウンタに、ＩＣカードにより精算するための複数のリーダライタを設置すると、そのスペースだけでカウンタの面積を占有してしまい、カウンタを有効に使用することができなくなってしまう。そこで本実施形態では、複数のリーダライタ２３、２６、２９をカウンタから離間した場所に設置し、そこから通信ケーブル１７ａ、１７ｂ、１７ｃにより延伸し、各拡張アンテナのアンテナ部８ａ、８ｂ、８ｃを軸上で重なるように配置してＩＣカードのＩＣカードタッチ部（読取部）２０とする。これにより、リーダライタを利用者の見えない場所に隔離して盗難等を防止すると共に、ＩＣカードタッチ部２０の占有面積を最小限にして有効利用面積を拡張することができる。
図５は本発明のリーダライタ装置の読書きタイミングを説明する図である。制御部１６は、ループアンテナから放射する電磁波を時分割に出力する。例えば、通信方式が異なる複数のリーダライタ２３、２６、２９を同時に使用する場合、それぞれのループアンテナ２１、２４、２７から電磁波を同時に放射すると、それぞれの電磁波が互いに影響しあって電磁波が減衰したり、データエラーを起こす可能性が大きくなる。そこで本実施形態では、図５に示すように、アンテナ部Ａは時間ｔ１〜ｔ２、アンテナ部Ｂは時間ｔ２〜ｔ３、アンテナ部Ｃは時間ｔ３〜ｔ４に電磁波を放射する期間として、各方式の電磁波を放射するタイミングを時分割にすることにより、ある時間帯では１種類の通信方式による電磁波のみが放射されるため、データエラー等の事態を低減することができる。
【００２５】
以上の通り、実施形態として駐車場料金精算機、及びレジで精算を行う電子マネー決済を例に説明したが、このほかにも複数のリーダライタを使用した機器であれば、同様に本発明を適用することは可能である。
【符号の説明】
【００２６】
１  ＩＣカードタッチ部、２  案内表示部、３  料金表示部、４  硬貨投入口、５  紙幣投入口、６  駐車券挿入口、８  アンテナ部、９  受電部、１０、１３  リーダライタ、１１、１４  ループアンテナ、１２、１５  リーダライタ制御部、１６  制御部、１７  通信ケーブル、１８  拡張アンテナ、２０  ＩＣカードタッチ部、２１  、２４、２７  ループアンテナ、２２、２５、２８  リーダライタ制御部、２３、２６、２９  リーダライタ、５０  リーダライタ装置、６０  駐車場料金精算機、７０  リーダライタ装置
【図１】
0005474683.tif 000002
【図２】
0005474683.tif 000003
【図３】
0005474683.tif 000004
【図４】
0005474683.tif 000005
【図５】
0005474683.tif 000006
【図６】
0005474683.tif 000007
【図７】
0005474683.tif 000008
【図８】
0005474683.tif 000009